(57)【要約】【課題】  本発明は、簡単に扁平状に折り畳むことができ、且つ、簡単に箱型に形成できる包装ケースを提供する。【解決手段】  シート材を組み立てた折り畳み可能な包装ケース１であって、正面２と、背面３と、前記正面２の下辺及び前記背面３の下辺の間に連設された底面６と、前記正面２及び背面３の間に連設された右側面４及び左側面５と、を有し、前記底面６、右側面４及び左側面５が、その面内にそれぞれ形成された折り罫線にて折り曲げ可能であり、前記右側面４及び左側面５の下方部には、右係入孔４２及び左係入孔５２が形成され、前記底面６の右側辺及び左側辺には、前記右係入孔４２及び左係入孔５２に挿入可能な右係入部６２及び左係入部６３が延出されている。【選択図】  図２
2010018298.tif 000002
【特許請求の範囲】
【請求項１】
シート材を組み立てた折り畳み可能な包装ケースであって、
正面と、背面と、前記正面の下辺及び前記背面の下辺の間に連設された底面と、前記正面の右側辺及び背面の右側辺の間に連設された右側面と、前記正面の左側辺及び前記背面の左側辺の間に連設された左側面と、を有し、
前記底面が、その面内に形成された底面折り罫線にて折り曲げ可能であり、
前記右側面が、その面内に形成された右側面折り罫線にて折り曲げ可能であり、
前記左側面が、その面内に形成された左側面折り罫線にて折り曲げ可能であり、
前記右側面の下方部には右係入孔が形成され、
前記左側面の下方部には左係入孔が形成され、
前記底面の右側辺には、前記右係入孔に挿入可能な右係入部が延出され、
前記底面の左側辺には、前記左係入孔に挿入可能な左係入部が延出されていることを特徴とする包装ケース。
【請求項２】
前記底面の右側辺が、前記底面折り罫線に向かうに従って底面の面内方向へ傾斜しており、前記底面の左側辺が、前記底面折り罫線に向かうに従って底面の面内方向へ傾斜している請求項１に記載の包装ケース。
【請求項３】
前記右係入部が、前記底面折り罫線を含む前記右側辺の中央部から延出され、前記左係入部が、前記底面折り罫線を含む前記左側辺の中央部から延出されており、前記右係入部及び前記左係入部が、前記底面折り罫線に対応する箇所において底面の面内方向へ凹んだ凹み部をそれぞれ有する請求項２に記載の包装ケース。
【発明の詳細な説明】
【技術分野】
【０００１】
本発明は、シート材を組み立てて形成された折り畳み可能な包装ケースに関する。
【背景技術】
【０００２】
従来、合成樹脂製シートや厚紙などのシート材を組み立てた包装ケースは、様々な形態のものが知られている。
該包装ケースの代表的な形態は、シート材を中空直方体状に形成した箱型である。
従来、シート材を組み立てた包装箱として、特許文献１に記載のものが知られている。
【０００３】
特許文献１に記載の包装箱は、前壁、後壁及び両側壁を有し、前記前壁及び後壁に連設された底板と側壁に連設された底片とを１組ずつ貼り合わせ、これらを係合させることによって底壁を形成している。
【特許文献１】特開２００２−１０４３７８号公報
【発明の開示】
【発明が解決しようとする課題】
【０００４】
しかしながら、特許文献１の包装箱の底壁は、底板と底片を１組ずつ貼り合わせ、これらを係合させるので、底壁の形成が煩雑である。よって、上記包装箱は、簡単に箱形に形成できない。
【０００５】
本発明は、不使用時に扁平状に折り畳むことができ、且つ使用時に簡単に箱型状に形成できる包装ケースを提供することを課題とする。
【課題を解決するための手段】
【０００６】
本発明の包装ケースは、シート材を組み立てた折り畳み可能な包装ケースであって、正面と、背面と、前記正面の下辺及び前記背面の下辺の間に連設された底面と、前記正面の右側辺及び背面の右側辺の間に連設された右側面と、前記正面の左側辺及び前記背面の左側辺の間に連設された左側面と、を有し、前記底面が、その面内に形成された底面折り罫線にて折り曲げ可能であり、前記右側面が、その面内に形成された右側面折り罫線にて折り曲げ可能であり、前記左側面が、その面内に形成された左側面折り罫線にて折り曲げ可能であり、前記右側面の下方部には右係入孔が形成され、前記左側面の下方部には左係入孔が形成され、前記底面の右側辺には、前記右係入孔に挿入可能な右係入部が延出され、前記底面の左側辺には、前記左係入孔に挿入可能な左係入部が延出されていることを特徴とする。
【０００７】
上記包装ケースは、右側面折り罫線、左側面折り罫線及び底面折り罫線において右側面、左側面及び底面を折り曲げることによって、扁平状に折り畳むことができる。
また、上記包装ケースは、折り曲げた右側面、左側面及び底面を起立させると共に、底面の右側辺に延設された右係入部を右側面の右係入孔に挿入し、且つ底面の左側辺に延設された左係入部を左側面の左係入孔に挿入することにより、底面と右側面及び左側面とが係合する。よって、包装ケースを箱型に形成できる。
また、前記右係入部及び左係入部を右係入孔及び左係入孔から抜いた後、右側面、左側面及び底面を折り曲げることにより、包装ケースは、扁平状に折り畳むことができる。
本発明の包装ケースは、簡単に箱型に組み立てることができ、且つ、簡単に扁平状に折り畳むことができる。
【０００８】
本発明の好ましい包装ケースは、前記底面の右側辺が、前記底面折り罫線に向かうに従って底面の面内方向へ傾斜しており、前記底面の左側辺が、前記底面折り罫線に向かうに従って底面の面内方向へ傾斜している。
【０００９】
上記好ましい包装ケースは、箱型に形成するときに、前記底面の傾斜状の右側辺及び左側辺に右側面及び左側面の内側が近接するように、右側面及び左側面を僅かに内側へ折り曲げることができる。
右側面及び左側面が僅かに内側に折れ曲がった状態で底面と係合することにより、底面が右側面及び左側面から不用意に外れることを防止できる。
【００１０】
本発明の他の好ましい包装ケースは、前記右係入部が、前記底面折り罫線を含む前記右側辺の中央部から延出され、前記左係入部が、前記底面折り罫線を含む前記左側辺の中央部から延出されており、前記右係入部及び前記左係入部が、前記底面折り罫線に対応する箇所において底面の面内方向へ凹んだ凹み部をそれぞれ有する。
【００１１】
上記他の好ましい包装ケースは、箱型に形成するときに、右側面及び左側面を僅かに内側に折り曲げることにより生じる頂部に、底面の右係入部の凹み部及び左係入部の凹み部を当てながら底面を押し込むことにより、底面の右係入部及び左係入部を右側面の右係入孔及び左側面の左係入孔に確実に案内できる。
従って、上記他の好ましい包装ケースは、より簡単に箱型に形成できる。
【発明の効果】
【００１２】
本発明に係る包装ケースは、簡単に扁平状に折り畳むことができ、且つ、簡単に箱型に形成することができる。
【発明を実施するための最良の形態】
【００１３】
以下、本発明の好ましい実施形態について、図面を参照しつつ具体的に説明する。なお、各部の用語の接頭語として、第１、第２などを付す場合があるが、該接頭語は、用語を区別するために付加されるものであり、各部の順序や優劣などを意味しない。
また、図１及び図６において、一点鎖線は、折り罫線を示す。本発明において、折り罫線は、特に限定されず、例えば、シート材の厚み方向に切り込んだＶノッチ線、ミシン目線などが挙げられる。
【００１４】
図２〜図５に於いて、１は、シート材１１を組み立てて形成された折り畳み可能な包装ケースを示し、該包装ケース１は、箱型に形成されている。
なお、図１は、包装ケース１を形成するために所定形状に切り抜かれたシート材の展開平面図である。
該包装ケース１は、四角筒状の周壁と、前記周壁の下方開口部を塞ぐ底面６と、前記周壁の上方開口部を開閉自在に塞ぐ蓋７と、を有する。
【００１５】
包装ケース１を形成するシート材１１としては、特に限定されず、従来公知のシートを用いることができる。
該シート材１１としては、例えば、合成樹脂製シート、金属蒸着層を有する合成樹脂製シート、厚紙、及びこれらの積層シートなどが挙げられる。
好ましくは、シート材１１としては、合成樹脂製シートを含むシートが用いられ、より好ましくは、合成樹脂製シート（２枚以上の合成樹脂製シートが積層された樹脂製シートを含む）が用いられる。合成樹脂製シートの材質としては、例えば、ポリプロピレン、ポリエチレンなどのポリオレフィン系、ポリエチレンテレフタレートなどのポリエステル系、ポリスチレン系、ポリアミド系などが挙げられる。
【００１６】
また、シート材１１は、透明性に優れたシートを用いることが好ましい。該透明性に優れたシートとしては、全光線透過率が７０％以上であるシートが好ましく、より好ましくは８０％以上であり、さらに好ましくは９０％以上である。ただし、全光線透過率は、ＪＩＳ Ｋ７１０５（プラスチックの光学的特性試験方法）に準拠した測定法によって測定される値をいう。
【００１７】
上記シート材１１は、無色であることが好ましいが、透明性を損なわない範囲で着色されていてもよい。また、シート材１１には、必要に応じて、所望の意匠印刷が施されていてもよい。
シート材１１の厚みは、特に限定されないが、好ましくは０．２ｍｍ〜１．０ｍｍ程度である。中でも、適度な剛性を有することから、厚み０．２ｍｍ〜０．６ｍｍ程度の透明なポリプロピレン製シートを用いることが好ましい。
【００１８】
周壁は、正面２と、該正面２に対向した背面３と、前記正面２の右側辺及び背面３の右側辺の間に連設された右側面４と、前記正面２の左側辺及び前記背面３の左側辺の間に連設された左側面５と、を有する四角筒状である。
底面６は、正面２の下辺及び前記背面３の下辺の間に連設されている。
周壁は、正面２の右側辺及び左側辺に延設された糊代片８１，８１（図１参照）をそれぞれ、右側面４の内面及び左側面５の内面に接着することによって、四角筒状に形成されている。
【００１９】
具体的には、正面２及び背面３は、実質的に同形同大の平面視略矩形状に形成されている。
右側面４及び左側面５は、実質的に同形同大の平面視略縦長矩形状に形成されている。
右側面４の一側辺は、第１折り罫線９１を介して正面２の右側辺に連設され、且つ、右側面４の他側辺は、第２折り罫線９２を介して背面３の右側辺に連設されている。
左側面５の一側辺は、第３折り罫線９３を介して正面２の左側辺に連設され、且つ、左側面５の他側辺は、第４折り罫線９４を介して背面３の左側辺に連設されている。
右側面４の面内の中央部には、正面２の右側辺と平行な方向（縦方向）に延びる右側面折り罫線４１が形成されている。
左側面５の面内の中央部には、正面２の左側辺と平行な方向（縦方向）に延びる左側面折り罫線５１が形成されている。
【００２０】
右側面４及び左側面５は、前記右側面折り罫線４１及び左側面折り罫線５１において、山折り及び谷折りすることができる。
なお、山折りとは、周壁の外側方向へ折られることをいい、谷折りとは、周壁の内側方向へ折られることをいう。
【００２１】
右側面４の面内の下方部には、右係入孔４２が形成されている。左側面５の面内の下方部には、左係入孔５２が形成されている。
右係入孔４２及び左係入孔５２は、右側面折り罫線４１及び左側面折り罫線５１に跨って形成された横長状の打ち抜き孔からなる。
【００２２】
底面６は、平面視略横長矩形状に形成されている。底面６と右側面４及び左側面５とは、奥行きが略同じ長さに形成されている。
底面６の一辺は、第５折り罫線９５を介して正面２の下辺に連設され、且つ、底面６の他辺は、第６折り罫線９６を介して背面３の下辺に連設されている。
さらに、底面６の面内の中央部には、正面２の下辺と平行な方向（横方向）に延びる底面折り罫線６１が形成されている。
底面６は、前記底面折り罫線６１において、山折り及び谷折りすることができる。
【００２３】
底面６の右側辺及び左側辺は、前記底面折り罫線６１に向かうに従って底面６の面内方向へ傾斜されている。
すなわち、底面６の右側辺と正面２の下辺との成す角度及び底面６の右側辺と背面３の下辺との成す角度が鋭角状となるように、底面６の右側辺は、底面６の面内方向へと傾斜状に形成されている。
同様に、底面６の左側辺と正面２の下辺との成す角度及び底面６の左側辺と背面３の下辺との成す角度が鋭角状となるように、底面６の左側辺は、底面６の面内方向へと傾斜状に形成されている。
上記それぞれの角度は、鋭角状であれば良いが、好ましくは４５度〜８５度であり、より好ましくは６０度〜８０度である。
【００２４】
底面６の右側辺の中央部（底面折り罫線６１を含む中央部）には、右係入部６２が延設されている。底面６の左側辺の中央部（底面折り罫線６１を含む中央部）には、左係入部６３が延設されている。従って、右係入部６２及び左係入部６３の面内にも、底面折り罫線６１が形成されている。
底面６の右係入部６２は、包装ケース１を起立させたときに、右側面４の右係入孔４２に挿入可能な部分である。
底面６の左係入部６３は、包装ケース１を起立させたときに、左側面５の左係入孔５２に挿入可能な部分である。
図４などに示すように、底面６の傾斜部６ａに右側面４及び左側面５の内側が近接するように、右側面４及び左側面５が僅かに内側へ折り曲げられ、右側面４の右係入孔４２に底面６の右係入部６２が挿入され、且つ左側面５の左係入孔５２に底面６の左係入部６３が挿入されている。この挿入によって、底面６が右側面４及び左側面５に係合されている。
【００２５】
前記右係入部６２の先端辺及び左係入部６３の先端辺は、底面折り罫線６１に向かうに従って底面６の面内方向へ傾斜されている。
従って、右係入部６２及び左係入部６３は、底面折り罫線６１に対応する箇所において底面６の面内方向へ凹んだ凹み部６２ａ，６３ａをそれぞれ有する。この凹み部６２ａ，６３ａは、好ましくは、図示したように略Ｖ字状に凹んで形成される。
【００２６】
正面２の上辺には、第７折り罫線９７を介して蓋７が連設されている。該蓋７の面内には、略Ｕ字状の切り込み線が形成されている。この切り込み線の形成によって、蓋７の面内に差し込み部７１が区画されている。第７折り罫線９７を介して蓋７を背面３側へ折り曲げ、背面３に形成された差し込み孔３２に蓋７の差し込み部７１を挿入することによって、周壁の上方開口部が蓋７にて閉塞される。
なお、７２は、蓋７の面内に切り込み線を形成することによって区画された吊下げ部を示す。
【００２７】
上記包装ケース１は、右側面折り罫線４１及び左側面折り罫線５１において右側面４及び左側面５を山折りし、且つ底面折り罫線６１において底面６を山折りすることによって、扁平状に折り畳むことができる（図６及び図７参照）。
【００２８】
折り畳まれた包装ケース１の周壁を、右側面折り罫線４１及び左側面折り罫線５１において内側へ押圧することによって、第１〜第６折り罫線９１〜９６において右側面４、左側面５及び底面６が折れ曲がると共に、右側面折り罫線４１、左側面折り罫線５１及び底面折り罫線６１において平坦状になって、右側面４、左側面５及び底面６が起立する。従って、周壁が四角筒状となる。
次に、底面６を周壁の内側へ押し込み、底面６の右係入部６２を右側面４の右係入孔４２に挿入し且つ底面６の左係入部６３を左側面５の左係入孔５２に挿入する。
該右係入部６２及び左係入部６３の挿入によって、底面６の側辺が右側面４及び左側面５に係合し、周壁の下方開口部が底面６にて閉塞された箱型の包装ケース１を組み立てることができる（図２〜図４）。
【００２９】
上記右側面折り罫線４１、左側面折り罫線５１及び底面折り罫線６１は、右側面４、左側面５及び底面６の中央部に形成されている。さらに、底面６の右側辺及び左側辺は、底面折り罫線６１に向かうに従って底面６の面内方向へ傾斜している。さらに、底面６の右係入部６２及び左係入部６３には、凹み部６２ａ，６３ａが形成されている。
従って、次のような方法で、底面６の右係入部６２及び左係入部６３を右係入孔４２及び左係入孔５２に挿入することができる。
折り畳まれていた右側面４、左側面５及び底面６を、図８（ａ）に示すように、起立させる。なお、右側面及び左側面は左右対称なので、図８では、左側面の側を省略し、右側面の側のみを示している。また、図８では、底面を二点鎖線で示している。
【００３０】
次に、図８（ｂ）に示すように、右側面４及び左側面５を、右側面折り罫線４１及び左側面折り罫線５１において僅かに谷折りする。谷折りした右側面４及び左側面５には、内側へ屋根状に突出した頂部４ａが生じる。
底面６の右係入部６２の凹み部６２ａ及び左係入部６３の凹み部６３ａを、前記頂部４ａに当て、底面６を上方へ押し込むと、前記凹み部６２ａ，６３ａが頂部４ａに沿いながら右係入部６２及び左係入部６３が右側面４及び左側面５を摺動するので、右係入部６２及び左係入部６３を右係入孔４１及び左係入孔５１に確実に案内できる（図８（ｃ）参照）。
従って、右係入部６２及び左係入部６３を、簡単且つ確実に右係入孔４１及び左係入孔５１に挿入できる。
【００３１】
右係入部６２及び左係入部６３が挿入されると、図８（ｃ）に示すように、底面６の右側辺及び左側辺の傾斜に従い、右側面４及び左側面５の内側が、底面６の傾斜部６ａ（傾斜状の右側辺及び左側辺）に接する又は近接する。
右側面４及び左側面５が僅かに内側へ折れ曲がった状態で底面６と係合すると、右側面４及び左側面５が底面６の右係入部６２及び左係入部６３側へ付勢されるので、底面６の右係入部６２及び左係入部６３が右側面４及び左側面５から不用意に外れることを防止できる。
【００３２】
本発明の包装ケース１は、簡単に箱型に組み立てることができ、又、不使用時には、簡単に扁平状に折り畳むことができる。
箱型に形成された包装ケース１内には、化粧品、医薬品、菓子、おもちゃなどの任意の物品を収納できる。物品を収納した包装ケース１は、周壁の上方開口部が蓋７にて閉塞される。
【００３３】
次に、本発明の包装ケース１の他の実施形態を示す。
上記実施形態では、底面６の右係入部６２及び左係入部６３は、凹み部６２ａ，６３ａを有するが、右係入部６２及び左係入部６３は、上記のような凹み部を有しないものでもよい。例えば、図９及び図１０に示すように、底面６の右係入部６２及び左係入部６３は、その先端辺が直線状に形成されていてもよい。
なお、図９及び図１０において、上記実施形態と同様の部分に、上記実施形態と同じ符号を付している。
【図面の簡単な説明】
【００３４】
【図１】本発明の１つの実施形態に係る包装ケースを構成するシート材の展開平面図。
【図２】同包装ケース（開蓋状態）の斜視図。
【図３】同包装ケースの右側面図。
【図４】同包装ケースの底面図。
【図５】図３のＡ−Ａ線で切断した横断面図。
【図６】同包装ケースを扁平状に折り畳んだ状態の平面図。
【図７】同包装ケースを扁平状に折り畳んだ状態の右側面図。
【図８】右係入部を右係入孔へ挿入する手順を示す一部省略横断面図。
【図９】本発明の他の実施形態に係る包装ケースを構成するシート材の展開平面図。
【図１０】同包装ケース（開蓋状態）の斜視図。
【符号の説明】
【００３５】
１…包装ケース、２…正面、３…背面、４…右側面、４１…右側面折り罫線、４２…右係入孔、５…左側面、５１…左側面折り罫線、５２…左係入孔、６…底面、６１…底面折り罫線、６２…右係入部、６２ａ…右係入部の凹み部、６３…左係入部、６３ａ…左係入部の凹み部
【図１】
2010018298.tif 000003
【図２】
2010018298.tif 000004
【図３】
2010018298.tif 000005
【図４】
2010018298.tif 000006
【図５】
2010018298.tif 000007
【図６】
2010018298.tif 000008
【図７】
2010018298.tif 000009
【図８】
2010018298.tif 000010
【図９】
2010018298.tif 000011
【図１０】
2010018298.tif 000012